(57)【特許請求の範囲】
【請求項１】
壁下地と仕上パネルにより構成される壁構造に於て、該壁下地に一対の取付部が所定の間隔を保って平行して設けられ、これ等の取付部に複数の仕上パネルの対向する縁部が夫々装脱着可能な如く取付けられ、前記壁下地に取付けられた複数の仕上パネルの境界部に隣接される仕上パネル間に形成される境界線を覆うための長細い目透かし材が設けられ、かつ該目透かし材の両端部が前記一対の取付部に挿脱着できるように構成されていることを特徴とする壁構造。
【請求項２】
前記壁下地に設けられた取付部に溝部が形成され、かつその溝部に前記仕上パネルの対向する一対の縁部が挿入することが出来るように構成されていることを特徴とする請求項１に記載の壁構造。
【請求項３】
前記仕上パネルの表裏面が仕上面に形成されていることを特徴とした請求項１または請求項２に記載の壁構造。
【請求項４】
前記壁が腰壁であることを特徴とした請求項１乃至請求項３のいずれか１項に記載の壁構造。
【発明の詳細な説明】
【０００１】
【発明の属する技術分野】
本発明は壁下地と複数の仕上パネルとより構成される壁構造に係り、特に壁下地に複数の仕上パネルを簡単に挿脱着できるように構成し、それによって仕上パネルが損傷した場合等にこの仕上パネルを容易に交換することが出来るように構成される壁構造に関するものである。
【０００２】
【従来の技術】
従来のこの種の一般的住宅用建築物における壁構造は、壁下地に仕上パネルを堅固に固定して構成されていた。例えば図６に示す腰壁５１に示す如く、上框５２、下框５３及びこれ等の框５２、５３を相互に連結する複数の縦框５４で形成される複数の枠の中に夫々仕上パネル（デザインパネル）５５を挿入して、これ等の仕上パネル５５を接着材を介して枠に取付固定することによって腰壁５１を構成していた。
【０００３】
【発明が解決しようとする課題】
然るに、前述の図６に示す壁構造を含めた従来一般的な壁構造は、壁下地材に仕上パネルを堅固に固定して構成する構造であるので、例えば犬や猫等のペットが壁の仕上パネルの表面に引っかき傷等の損傷を生じさせた場合、或は家具その他の荷物を搬入或は搬出する際の損傷が壁に生じた場合等に、損傷が生じた部分のみを簡単に交換することが極めて困難である問題があった。
【０００４】
本発明に係る壁構造は、前述の従来の問題点に鑑み開発された全く新しい発明であって、特に壁の表面に、ペット或は荷物の移動等によって損傷を受けた場合には、この損傷を受けた部分のみの仕上パネルを取替えて交換することによって、極めて簡単に補修することが出来、また必要に応じては壁を簡単に模様替えすることが出来る全く新しい技術を提供するものである。
【０００５】
【課題を解決するための手段】
本発明に係る壁構造は、前述の従来の問題点を根本的に改善した発明であって、その第１発明の要旨は、壁下地と仕上パネルにより構成される壁構造に於て、該壁下地に一対の取付部が所定の間隔を保って平行して設けられ、これ等の取付部に複数の仕上パネルの対向する縁部が夫々装脱着可能な如く取付けられ、前記壁下地に取付けられた複数の仕上パネルの境界部に隣接される仕上パネル間に形成される境界線を覆うための長細い目透かし材が設けられ、かつ該目透かし材の両端部が前記一対の取付部に挿脱着できるように構成されていることを特徴とする壁構造である。
【０００６】
前述の第１発明に於ては、壁下地に所定間隔を保って一対の取付部が平行に設けられ、かつこれ等の取付部に複数の仕上パネルの対向する縁部が夫々装脱着可能に取付けられているので、各仕上パネルは必要に応じて個々に装脱着して取替えることが出来る。
【０００７】
従って一部の壁が損傷した場合には、損傷した仕上パネルのみを容易に交換することが出来る。また、建物の壁を模様替えする場合には、これ等の仕上パネルを交換することによって極めて簡単に模様替えをすることが出来る。
【０００８】
また、壁下地に並列して取付けられた複数の仕上パネルによって形成される境界線を覆うことが出来る細長い目透かし材を各仕上パネルの境界部に設けたので、室内側の壁面には連続した仕上面を形成することが出来る。
【０００９】
本発明の第２発明に係る壁構造の要旨は、前記壁下地に設けられた取付部に溝部が形成され、かつその溝部に前記仕上パネルの対向する一対の縁部が挿入することが出来るように構成されていることを特徴とする第１発明の壁構造である。
【００１０】
前述の第２発明の壁構造は、前記壁下地に設けられた取付部には、仕上パネルの縁部が挿入することが出来る溝部が形成されているので、取付部の構造を極めて簡単に構成することが出来る。また、複数の仕上パネルを簡単かつ安定した状態で確実に取付部に装脱着して交換することが出来る。
【００１１】
本発明に係る壁構造の第３発明の要旨は、前記仕上パネルの表裏面が仕上面に形成されていることを特徴とした第１発明または第２発明のいずれかの壁構造である。
【００１２】
前述の第３発明の壁構造は、壁下地に取付けられる複数の仕上パネルの表裏面が夫々仕上面に形成されているので、例えば片面が損傷を受けた場合にも、その仕上パネルの表裏交換することによって、元の状態に簡単に戻して再使用することが出来る。
【００１３】
本発明に係る壁構造の第４発明の要旨は、前記壁が腰壁であることを特徴とした第１発明乃至第３発明のいずれかの壁構造である。
【００１４】
前述の第４発明の壁構造は、ペットなどを室内で飼う場合に損傷を受け易い壁下部を腰壁部とし、かつ該腰壁部を前記第１発明乃至第３発明の構成にしたので、壁面全体でなくて腰壁部分のみを装脱着可能な仕上パネルによる壁構造にすることが出来る。従って、構造を簡単にしてその交換を容易にし、建築及びメンテナンスのコストを著るしく抑制することが出来る。
【００１５】
本発明に係る壁構造は、前述の構成を有しているので、既製の建物の壁面を簡単にリフォームして本発明の壁構造として再構築することが出来る。特に、前記第４発明の腰壁のみに適用する場合には、その施工が簡単で安価に実施することが出来る。
【００１６】
【発明の実施の形態】
図により本発明に係る壁構造の一実施例を具体的に説明すると、図１は本発明に係る壁構造の要部の構成を示す縦断面説明図、図２は図１の壁構造の要部の横断面拡大図、図３は図２に使用される仕上パネルの横断面拡大説明図、図４は他例の壁構造の要部の横断面拡大図、図５は図４に使用される仕上パネルの横断面拡大説明図である。
【００１７】
図１に於て、１は建物の壁面に設けられた壁下地である。この壁下地１の上下所定位置には、所定の間隔を保って、第１取付部２及び第２取付部３が夫々固定されている。前記第１取付部２の下向面には溝部２ａが設けられ、かつ前記第２取付部３の上向面には溝部３ａが設けられている。前記溝部２ａは溝部３ａより少し深く形成されている。４は建物の床面である。前記第１取付部２は廻り縁、長押等と兼用出来、また第２取付部３は巾木と兼用することが出来る。
【００１８】
５は仕上パネルであって、所定の巾と長さ（高さ）を有している。この仕上パネル５の上縁部５ａは前記第１取付部２の溝部２ａ内に嵌入し得る寸法を有し、かつ仕上パネル５の下縁部５ｂは前記第２取付部３の溝部３ａ内に嵌入し得る寸法を有している。
【００１９】
従って、仕上パネル５は、図１に示す如く、その上下縁部を夫々矢印に従って第１取付部２の溝部２ａ及び第２取付部３の溝部３ａに挿入することによって、仕上パネル５を第１取付部２及び第２取付部３を介して壁下地１に取付けて壁面を仕上げることが出来る。
【００２０】
図２及び図３に於て、前記仕上パネル５の表面側には印刷、塗装等よりなる仕上層６が一体的に積層されて仕上面を形成している。また、仕上パネル５の表面側の両端縁には夫々所定の巾と深さとを持ったＬ型の実部７が設けられて構成されていて、仕上パネル５と仕上パネル５との境界から壁下地１が見えないようになっている。
【００２１】
従って、複数の仕上パネル５を並列して密接した場合には、仕上パネル５の境界部には前記実部７によって形成される溝状隙間となる境界線８が形成されており、かつこの境界線８には、表面が仕上パネル５と同一に仕上げられた細長い目透かし材９が嵌入されて埋込まれている。
【００２２】
この細長い目透かし材９の上下の肉厚は前記実部７の深さとほぼ等しく、かつ細長い目透かし材９の左右巾は前記実部７の２倍にほぼ等しく、細長い目透かし材９の全長は仕上パネル５の全長とほぼ等しく形成されている。このように境界線８に目透かし材９を埋設することによって、複数の仕上パネル５の仕上面が連続して形成されている。前記目透かし材９は必ずしも境界線８内にピッタリ嵌入される必要がなく、ぶかぶかの状態であっても問題はない。
【００２３】
図４及び図５に於ける実施例に於ては、仕上パネル５ａの表面側及び裏面側に夫々仕上層６が一体的に積層されてリバーシブルに使用出来る仕上パネル５ａとして形成されている。また、仕上パネル５ａの両端縁には、夫々表面側及び裏面側に夫々凸型の実部７ａが設けられて構成されている。
【００２４】
前述の図４及び図５に示す仕上パネル５ａは、その表裏両面が仕上面とされている。従って、仕上パネル５ａはその表裏のいずれの面も室内側に露出して使用することが出来る。そのために、仮りに仕上パネル５ａの片面に損傷を受けた場合にも、該仕上パネル５ａを裏返すことによって、その損傷された面を交換してそのまま使用することが出来る。
【００２５】
前記仕上パネル５ａの仕上面を形成するに当っては、表面側と裏面側の仕上層６の色彩、模様等を必ずしも同一にする必要はなく、表面側と裏面側の仕上層６の色彩等を変えて構成することが出来る。この場合には、同一の仕上パネル５ａを裏表に変えて使用することによって、室内の模様替えを簡単かつ安価に実施することが出来る。
【００２６】
前述の両面に仕上面を施した仕上パネル５ａは、前記片面のみに仕上面を施した仕上パネル５と同様に、壁下地１に設けられた第１取付部２及び第２取付部３に取付けて使用することが出来る。また、複数の仕上パネル５ａによって形成される表裏両方の境界線８は、その表側の境界線８のみに目透かし材９を埋設することによって目的を達成することが出来る。
【００２７】
前記実施例の仕上パネル５、５ａの本体は夫々天然木材或は集成木材を加工することによって簡単に形成することが出来る。また、壁下地１の下地材は石膏ボード、木板、木枠または軽量鉄骨材よりなる枠体により構成することが出来る。さらに、仕上パネル５、５ａを壁下地１に取付ける形態は、前述の溝部方式以外にもケンドン式、引っ掛け式、マグネット式等種々の手段が考えられる。
【００２８】
前記図１の実施例の場合には、複数の仕上パネル５を縦方向に並列して壁面を構成したが、これ等の仕上パネル５を用いて壁面全面を仕上げるような場合には、壁面の両側に取付部を設け、複数の仕上パネル５を横向きに取付けて壁面を構成することも可能である。
【００２９】
【発明の効果】
本発明に係る壁構造は、壁下地に所定間隔を保って一対の取付部が平行に設けられ、かつこれ等の取付部に複数の仕上パネルの対向する縁部が夫々装脱着可能に取付けられているので、各仕上パネルは必要に応じて個々に装脱着して取替えることが出来る。従って一部の壁が損傷した場合には、損傷した仕上パネルのみを容易に交換することが出来る。また、建物の壁を模様替えする場合には、これ等の仕上パネルを交換することによって極めて簡単に模様替えをすることが出来る等の効果を有している。
【００３０】
また、壁下地に並列して取付けられた複数の仕上パネルによって形成される境界線を覆うことが出来る細長い目透かし材を各仕上パネルの境界部に設けたことで、室内側の壁面には連続した仕上面を形成することが出来る効果を有している。
【００３１】
かつ、前記壁下地に設けられた取付部には、仕上パネルの縁部が挿入することが出来る溝部を形成した場合には、取付部の構造を極めて簡単に構成することが出来る。また、複数の仕上パネルを簡単かつ安定した状態で確実に取付部に装脱着して交換することが出来る効果を有している。
【００３２】
さらに、壁下地に取付けられる複数の仕上パネルの表裏面を夫々仕上面に形成した場合には、例えば片面が損傷を受けた場合にも、その仕上パネルの表裏交換することによって、元の状態に簡単に戻して再使用することが出来る。
【００３３】
【図面の簡単な説明】
【図１】  本発明に係る壁構造の要部の構成を示す縦断面説明図である。
【図２】  図１の壁構造の要部の横断面拡大図である。
【図３】  図２に使用される仕上パネルの横断面拡大説明図である。
【図４】  他例の壁構造の要部の横断面拡大図である。
【図５】  図４に使用される仕上パネルの横断面拡大説明図である。
【図６】  従来例を示す腰壁の要部の拡大正面説明図である。
【符号の説明】
１ …壁下地
２ …第１取付部
２ａ …溝部
３ …第２取付部
３ａ …溝部
３ｂ …溝部
４ …床面
５ …仕上パネル
５ａ …仕上パネル
６ …仕上層
７ …実部
７ａ …凸型の実部
８ …境界線
９ …目透かし材
５１ …腰壁
５２ …上框
５３ …下框
５４ …縦框
５５ …仕上パネル（デザインパネル）
【図１】
0004371546.tif 000002
【図２】
0004371546.tif 000003
【図３】
0004371546.tif 000004
【図４】
0004371546.tif 000005
【図５】
0004371546.tif 000006
【図６】
0004371546.tif 000007